(57)【要約】      （修正有）【課題】診察において、医師と患者の間で齟齬を生じることなく、十分かつスムーズなコミュニケーションをとることができる診察用透明ディスプレイ装置を提供する。【解決手段】両面に文字情報を表示可能であって、透明な材料から形成されるとともに、診察の際に医師と患者との間に配置される透明ディスプレイ本体１０と、医師が話した音声情報と患者が話した音声情報の入力を受け付ける音声情報受付部１２と、音声情報受付部１２によって受け付けられた医師が話した音声情報と患者が話した音声情報を文字情報に変換する音声変換部１３と、音声変換部１３によって変換された医師の文字情報を透明ディスプレイ本体１０の患者側の面に表示させ、かつ音声変換部１３によって変換された患者の文字情報を透明ディスプレイ本体１０の医師側の面に表示させる制御部１４とを備える。【選択図】図２
0003234433.tif 000002
【実用新案登録請求の範囲】
【請求項１】
両面に文字情報を表示可能であって、透明な材料から形成されるとともに、診察の際に医師と患者との間に配置される透明ディスプレイ本体と、
前記医師が話した音声情報と前記患者が話した音声情報の入力を受け付ける音声情報受付部と、
前記音声情報受付部によって受け付けられた前記医師が話した音声情報と前記患者が話した音声情報を文字情報に変換する音声変換部と、
前記音声変換部によって変換された医師の文字情報を前記透明ディスプレイ本体の患者側の面に表示させ、かつ前記音声変換部によって変換された患者の文字情報を前記透明ディスプレイ本体の医師側の面に表示させる制御部とを備えた診察用透明ディスプレイ装置。
【請求項２】
前記医師の文字情報の中に医学専門用語が含まれる場合には、前記医学専門用語を予め設定された説明文字情報に変換する専門用語変換部を備え、
前記制御部が、前記説明文字情報を表示する請求項１記載の診察用透明ディスプレイ装置。
【請求項３】
前記制御部が、前記医師の文字情報をさらに前記透明ディスプレイ本体の医師側の面に表示させ、
前記医師の文字情報が、予め設定された正しい日本語の条件を満たしているか否かを判別する日本語判別部を備え、
前記制御部が、前記日本語判別部によって前記正しい日本語の条件を満たしていないと判別された文字情報を識別可能に表示させる請求項１または２記載の診察用透明ディスプレイ装置。
【考案の詳細な説明】
【技術分野】
【０００１】
本考案は、診察の際に用いられる診察用透明ディスプレイ装置関するものである。
【背景技術】
【０００２】
近年、医療におけるインフォームドコンセントの重要性が増してきている。したがって、医師は、患者の病気や容態、つまり患者の体の中でどのようなことが起こっているかということや、検査、治療の内容、処方される薬について十分な説明をする必要があり、患者はその内容をよく理解し、納得した上で同意して治療を受けることになる。
【０００３】
このようなインフォームドコンセントを行うためには、医師と患者の間で十分かつスムーズなコミュニケーションが不可欠である。
【先行技術文献】
【特許文献】
【０００４】
【特許文献１】特開２０１３−０４１４１１号公報
【考案の概要】
【考案が解決しようとする課題】
【０００５】
しかしながら、医師が患者から話しを聞く場合、患者の声が小さかったり、はっきりと喋っていないような場合には、医師は、患者が話す内容を正確に把握することができず、憶測で話し進めてしまうおそれがある。
【０００６】
また、患者側からすれば、医師が自分の話したいことを理解していないと思い、納得できない状態で診察を諦めなければならないおそれがある。
【０００７】
このような医師と患者との間のコミュニケーションの齟齬は、最悪の場合、医療訴訟にまで発展しかねない。医療訴訟の大半は、医師と患者の誤解やディスコミュニケーションに原因がある。
【０００８】
また、患者は、医師の診察後も、自分の話したい事が伝えられなかった気持ちのままとなり、これによりうつ状態となる場合もある。
【０００９】
特に、患者が高齢者の場合には、上述したようなコミュニケーションの齟齬が生じやすく、その結果、病院から足が遠のき、病院の経営にも影響する。
【００１０】
さらに、病院側としては、患者やその家族が納得いくまで説明すべきと言われているので、非常に時間をとられてしまい、その他の業務に支障をきたす。
【００１１】
なお、特許文献１には、両面に表示可能な透明ディスプレイ装置が開示されているが、診察に用いることについては記載されていない。
【００１２】
本考案は、上記の問題に鑑み、診察において、医師と患者の間で齟齬を生じることなく、十分かつスムーズなコミュニケーションをとることができる診察用透明ディスプレイ装置を提供することを目的とする。
【課題を解決するための手段】
【００１３】
本考案の診察用透明ディスプレイ装置は、両面に文字情報を表示可能であって、透明な材料から形成されるとともに、診察の際に医師と患者との間に配置される透明ディスプレイ本体と、医師が話した音声情報と患者が話した音声情報の入力を受け付ける音声情報受付部と、音声情報受付部によって受け付けられた医師が話した音声情報と患者が話した音声情報を文字情報に変換する音声変換部と、音声変換部によって変換された医師の文字情報を透明ディスプレイ本体の患者側の面に表示させ、かつ音声変換部によって変換された患者の文字情報を透明ディスプレイ本体の医師側の面に表示させる制御部とを備える。
【００１４】
また、本考案の診察用透明ディスプレイ装置においては、医師の文字情報の中に医学専門用語が含まれる場合には、医学専門用語を予め設定された説明文字情報に変換する専門用語変換部を備えることができ、制御部は、上記説明文字情報を表示することができる。
【００１５】
また、本考案の診察用透明ディスプレイ装置において、制御部は、医師の文字情報をさらに透明ディスプレイ本体の医師側の面に表示させることができ、医師の文字情報が、予め設定された正しい日本語の条件を満たしているか否かを判別する日本語判別部を備えることができ、制御部は、日本語判別部によって正しい日本語の条件を満たしていないと判別された文字情報を識別可能に表示させることができる。
【考案の効果】
【００１６】
本考案の診察用透明ディスプレイ装置によれば、医師が話した音声情報を文字情報に変換し、その文字情報を透明ディスプレイ本体の患者側の面に表示させ、かつ患者が話した音声情報を文字情報に変換し、その文字情報を透明ディスプレイ本体の医師側の面に表示させるようにしたので、医師と患者は、お互いの話を文字情報として認識することができ、これにより医師と患者の間で齟齬を生じることなく、十分かつスムーズなコミュニケーションをとることができる。
【図面の簡単な説明】
【００１７】
【図１】本考案の診察用透明ディスプレイ装置の一実施形態を用いて、医師が患者の診察を行っている様子を示す図
【図２】診察用透明ディスプレイ装置の支持体の内部の構成を示すブロック図
【図３】診察用透明ディスプレイ装置の表示態様の一例を示す図
【図４】本考案の診察用透明ディスプレイ装置のその他の実施形態の支持体の内部構成を示すブロック図
【図５】本考案の診察用透明ディスプレイ装置のその他の実施形態の支持体の内部構成を示すブロック図
【考案を実施するための形態】
【００１８】
以下、図面を参照して本考案の診察用透明ディスプレイ装置の一実施形態について詳細に説明する。図１は、本実施形態の診察用透明ディスプレイ装置１を用いて、医師が患者の診察を行っている様子を示す図である。
【００１９】
本実施形態の診察用透明ディスプレイ装置１は、図１に示すように、机２などの上に設置され、医師と患者の間に配置されて使用される。
【００２０】
診察用透明ディスプレイ装置１は、透明ディスプレイ本体１０と、透明ディスプレイ本体１０を支持する支持台１１とを備えている。
【００２１】
透明ディスプレイ本体１０は、両面に文字情報を表示可能なフラットパネルディスプレイであって、透明な材料から形成される。透明ディスプレイ本体１０としては、液晶ディスプレイおよび有機ＥＬ（Electro Luminescence）ディスプレイなどを用いることができるが、透明ディスプレイ本体１０を通して後方が見えるような透明型または光透過型のディスプレイであれば、如何なる既存のディスプレイでもよい。
【００２２】
支持台１１は、直方体の筐体を備え、その筐体の上部に透明ディスプレイ本体１０が取り付けられて支持されている。支持台１１の筐体内には、音声情報受付部１２と、音声変換部１３と、制御部１４と、記録部１５とが設けられている。図２は、支持台１１の内部の構成を示すブロック図である。
【００２３】
音声情報受付部１２は、マイクを備え、医師が話した音声情報と患者が話した音声情報の入力を受け付ける。音声情報受付部１２のマイクは、医師用と患者用を共用するようにしてもよいし、医師用の指向性を有するマイクと患者用の指向性を有するマイクとをそれぞれ設けるようにしてもよい。
【００２４】
音声変換部１３は、音声情報受付部１２によって受け付けられた医師が話した音声情報と患者が話した音声情報を、上述した透明ディスプレイ本体１０に表示可能な文字情報に変換する。音声情報を文字情報に変換する方法としては、既に公知な方法を用いることができる。
【００２５】
制御部１４は、音声変換部１３によって変換された医師の文字情報を透明ディスプレイ本体１０の患者側の面に表示させ、かつ音声変換部１３よって変換された患者の文字情報を透明ディスプレイ本体１０の医師側の面に表示させる。
【００２６】
記録部１５は、音声情報受付部１２によって受け付けられた医師および患者の音声情報と、音声変換部１３によって変換された医師および患者の文字情報を記憶する。記録部１５に記憶された音声情報および文字情報は、診察用透明ディスプレイ装置１に接続された外部装置によっていつでも読み出し可能に構成されている。外部装置としては、パーソナルコンピュータおよび携帯電話やタブレット端末などの携帯端末など、診察用透明ディスプレイ装置１と通信可能な装置であれば如何なる装置でもよい。このように医師の話しと患者の話しを記憶することによって、たとえば医療訴訟となった場合に証拠として利用することができる。
【００２７】
また、記録部１５に音声情報や文字情報を記憶する際、外部装置から患者のカルテの情報を取り込み、そのカルテの情報と紐づけて記憶するようにしてもよい。
【００２８】
支持台１１の筐体内には、ＣＰＵ（Central Processing Unit）、半導体メモリおよびハードディスクなどの記憶媒体などが設けられている。本実施形態においては、半導体メモリまたはハードディスクに予め記憶された音声変換プログラムおよび表示制御プログラムがＣＰＵによって実行されることによって、上述した音声変換部１３および制御部１４の機能が実現される。なお、本実施形態においては、上述したように予め記憶されたプログラムによって音声変換部１３および制御部１４の機能を実現するようにしたが、これに限らず、たとえば一部または全部の機能をＡＳＩＣ（Application Specific Integrated Circuit）やＦＰＧＡ（Field-Programmable Gate Array）、その他の電気回路などのハードウェアから構成するようにしてもよい。
【００２９】
また、記録部１５は、筐体内に設けられた上述した記憶媒体から構成される。
【００３０】
図３Ａは、医師が患者に向けて説明を行っている際に、透明ディスプレイ本体１０の患者側の面にその文字情報が表示されている様子を示す図である。また、図３Ｂは、患者が医師に向けて質問などを行っている際に、透明ディスプレイ本体１０の医師側の面のその文字情報が表示されている様子を示す図である。
【００３１】
本実施形態の診察用透明ディスプレイ装置１は、図３Ａおよび図３Ｂに示すように、医師が話した音声情報を文字情報に変換し、その文字情報を透明ディスプレイ本体１０の患者側の面に表示させ、かつ患者が話した音声情報を文字情報に変換し、その文字情報を透明ディスプレイ本体１０の医師側の面に表示させるようにしたので、医師と患者は、お互いの話を文字情報として認識することができ、これにより医師と患者の間で齟齬を生じることなく、十分かつスムーズなコミュニケーションをとることができる。
【００３２】
また、上記実施形態では、医師が患者に向けて話した文字情報を、透明ディスプレイ本体１０の患者側の面に表示するようにしたが、さらに、透明ディスプレイ本体１０の医師側の面にも表示させるようにしてもよい。これにより、医師が、患者に対して話した内容を自ら確認することができ、自らの発言が正しいか否か、自らの発言が正しい日本語であるか否かなどを確認することができる。
【００３３】
また、逆に、患者が医師に向けて話した文字情報を、透明ディスプレイ本体１０の医師側の面だけでなく、さらに、透明ディスプレイ本体１０の患者側の面にも表示させるようにしてもよい。これにより、患者が、医師に対して話した内容を自ら確認することができ、自らの発言が正しいか否か、自らの発言が正しい日本語であるか否かなどを確認することができる。
【００３４】
また、上述したように医師が話した文字情報を透明ディスプレイ本体１０の医師側の面に表示させたり、患者が話した文字情報を透明ディスプレイ本体１０の患者側の面に表示させたりする際、その文字情報が、正しい日本語であるか否かを判別し、正しい日本語でない場合には、その部分を識別可能に表示するようにしてもよい。
【００３５】
具体的には、図４に示すように、支持台１１の筐体内に、さらに日本語判別部１６を設けるようにしてもよい。日本語判別部１６は、医師が話した文字情報および患者が話した文字情報が、予め設定された正しい日本語の条件を満たしているか否かを判別する。具体的には、日本語判別部１６は、たとえば主語と述語が対応して存在しているか、目的語が正しく配置されているか、接続語に誤りがないかなどを判別する。
【００３６】
日本語判別部１６としては、正しい日本語と誤った日本語とを予め機械学習させた学習済モデルを生成しておき、その学習済モデルに対して、医師が話した文字情報および患者が話した文字情報を入力することによって、正しい日本語であるか否かを判別するようにしてもよい。
【００３７】
機械学習の方法としては、公知な手法を用いることができ、ディープニューラルネットワーク（ＤＮＮ）、畳み込みニューラルネットワーク（ＣＮＮ）、リカレントニューラルネットワーク（ＲＮＮ）、およびデノイジングスタックオートエンコーダ（ＤＳＡ）などを用いることができる。
【００３８】
そして、制御部１４は、日本語判別部１６によって正しい日本語ではないと判別された場合には、その文字情報の部分をその他の文字情報と識別可能に表示する。識別可能に表示する方法としては、たとえばその他の文字情報と異なる色で表示するようにしてもよいし、アンダーラインを表示させるようにしてもよいし、点滅表示させるようにしてもよい。
【００３９】
このように正しい日本語ではないと判別された文字情報を識別可能に表示させることによって、改めて正しい日本語で話し直すことができ、医師と患者のコミュケーションをよりスムーズにすることができる。また、たとえば若い医師にとっては自らの発言の日本語の間違いを認識することができるので、患者に対する話し方のトレーニングとなる。
【００４０】
また、医師の文字情報の中には医学専門用語が含まれる場合があるが、患者がその医学専門用語を理解できない場合がある。このような場合、患者は医師の話しの内容を理解することなく説明が進んでしまい、患者と医師の間でディスコミュニケーションが発生する。
【００４１】
そこで、透明ディスプレイ本体１０の患者側の面に表示される医師の文字情報の中に、医学専門用語が含まれる場合には、医学専門用語を分かり易く説明した説明文字情報に変換し、その説明文字情報を表示するようにしてもよい。
【００４２】
具体的には、図５に示すように、支持台１１の筐体内に、さらに専門用語変換部１７を設けるようにしてもよい。
【００４３】
専門用語変換部１７は、医師の文字情報の中に、予め設定された医学専門用語が含まれる場合には、その医学専門用語を予め設定された説明文字情報に変換する。そして、制御部１４は、医師の文字情報の中に含まれる医学専門用語を上述した説明文字情報に置き換えて表示させる。または、制御部１４は、医学専門用語の近傍に説明文字情報を表示させる。
【００４４】
専門用語変換部１７は、たとえば医学専門用語として、「浸潤」が含まれる場合には、「周りに広がって」に変換する。また、「重篤」が含まれる場合には、「非常に重い」に変換する。また、「ＱＯＬ」が含まれる場合には、「生活の質」に変換する。なお、医学専門用語の変換例はこれに限らず、その他多数の変換例がテーブルなどを用いて予め設定される。
【００４５】
これにより、患者は医師の話しをよく理解することができ、医師とのコミュニケーションをスムーズにすることができる。
【符号の説明】
【００４６】
１  診察用透明ディスプレイ装置
２  机
１０  透明ディスプレイ本体
１１  支持台
１２  音声情報受付部
１３  音声変換部
１４  制御部
１５  記録部
１６  日本語判別部
１７  専門用語変換部
【図１】
0003234433.tif 000003
【図２】
0003234433.tif 000004
【図３】
0003234433.tif 000005
【図４】
0003234433.tif 000006
【図５】
0003234433.tif 000007